(57)【特許請求の範囲】
【請求項１】
建物の屋外に臨む床構造部に、水平方向に間隔をあけて平行かつ鉛直に立設される複数の支柱と、
隣接する各支柱間にわたって配置される矩形板状のパネルと、
鉛直に立設され、各支柱に固定される固定竪枠部材であって、その軸線に垂直な断面が略逆Ｕ字状の軸受け部が形成された前壁を有する固定竪枠部材と、
固定竪枠部材に、固定竪枠部材の軸線に平行な軸線まわりに角変位自在に設けられる可動竪枠部材であって、
断面略円柱状に形成され、前記軸受け部に嵌合し、固定竪枠部材の軸線に平行な軸線まわりに角変位可能に設けられる軸部と、
前記軸部に連なる板状部と、
前記板状部に連なり、各パネルの互いに近接する各一側部を、固定竪枠部材における前記前壁との間で挟持する保持部とを有し、
前記保持部には、各パネルの互いに近接する各一側部と当接する当接部材が設けられる可動竪枠部材と、を含むことを特徴とする柵構造体。
【請求項２】
柵構造体は、
水平方向に支柱に固定され、各パネルの上端縁を支持する上枠部材と、
水平方向に支柱に固定され、各パネルの下端縁を支持する下枠部材とをさらに含むことを特徴とする請求項１記載の柵構造体。
【発明の詳細な説明】
【技術分野】
【０００１】
本発明は、建物のベランダなどの屋外に開放した床構造部に好適に実施することができる柵構造体に関する。
【背景技術】
【０００２】
図７は、第１の従来技術の柵構造体１００を示す鉛直断面図であり、図８は、図７に示す柵構造体１００の水平断面図である。このような第１の従来技術は、たとえば特許文献１に示されている。
【０００３】
柵構造体１００は、建物の屋外に臨む通路を構成する床構造部１１０のパラペット１１１に設けられる手摺柵を構築するために設けられる。柵構造体１００は、床構造部１１０の外方側端部に形成されるパラペット１１１から鉛直方向に立設される。
【０００４】
柵構造体１００は、水平方向に間隔をあけて複数設けられる支柱１１２と、各支柱１１２の外方に臨む下端部に固定され、各支柱１１２間にわたって設けられる断面が凹状の下枠１１３と、各支柱１１２の外方に臨む上端部に固定され、各支柱１１２間にわたって設けられる断面が凹状の上枠１１４と、各支柱１１２の上端および上枠を覆い、各支柱１１２間にわたって設けられる笠木１１５と、前記上枠１１４および前記下枠１１３によって上端縁および下端縁が支持されるパネル１１６とを含んで構成される。柵構造体１００は、上枠１１４と下枠１１３とによってパネル１１６の上端縁および下端縁の２辺を支持する。
【０００５】
図９は、第１の従来技術の柵構造体１００におけるパネル１１６の取付け作業手順を示す図である。柵構造体１００では、いわゆる、やり送りによってパネル１１６を取付ける。以下、具体的に説明する。
【０００６】
先ず図９（ａ）に示すように、パネル１１６の上端縁を上枠１１４の溝に嵌まり込ませ、パネル１１６の下端縁を下枠１１３の溝に嵌まり込ませた状態で、パネル１１６を柵構造体１００の一端部から他端部（矢符Ｘ１方向）へ挿入する。
【０００７】
続いて図９（ｂ）に示すように、パネル１１６を順次挿入し、各パネル１１６をＸ１方向へ移動させる。これを最初に挿入したパネル１１６の側面が、柵構造体１００の他端部側に設けられる端部縦枠材に当接するまで行う。このようにして、複数のパネル１１６が上枠１１４と下枠１１３とによって支持された状態で、各支柱１１２間に配置される。
【０００８】
そして、図９（ｃ）に示すように、柵構造体１００の一端部に配置されるパネル１１６の側面に、端部縦枠材を嵌合させ、ビスなどの固定部材を用いて、図９（ｄ）に示すように、固定する。このようにして、柵構造体１００におけるパネル１１６の取付け作業が終了する。
【０００９】
第２の従来技術として、たとえば特許文献２に示される柵構造体を挙げることができる。この第２の従来技術の柵構造体は、パネルの下端縁を各パネル支持枠の開放端の上部に位置させ、隣接するパネル支持枠の各支持溝に対して両側縁部が位置するように配置する。
【００１０】
この状態で、隣接するパネル支持枠の各支持溝に沿ってパネルを降下させ、パネルの下端縁が下枠または下枠の溝底部に当接した位置で、パネルの両側縁および下部端縁の３つの側縁が、隣接するパネル支持枠および下枠によって支持される。
【００１１】
すべてパネルを上記のように配置されると、手摺部本体の嵌合部にカバー部を装着し、手摺部本体とカバー部とを一体化させて手摺を構成するとともに、上部端縁をカバー部によって、下部端縁を下枠によって、両側縁を隣接するパネル支持枠によってそれぞれ支持し、パネルの４辺すべてを支持する。
【先行技術文献】
【特許文献】
【００１２】
【特許文献１】特開２０１０−  ２４６６９号公報
【特許文献２】特開２００９−２２８３２０号公報
【発明の概要】
【発明が解決しようとする課題】
【００１３】
前記第１の従来技術では、パネル１１６を一枚ずつ挿入して取付けるので、取付け作業に多くの時間と労力を要する。またパネル１１６の一部が破損などし、パネル１１６を交換する場合、当該パネル１１６を柵構造体１００の他端部側から抜き取るために、交換する必要のないパネル１１６も抜き取らねばならず、パネル１１６の交換にも多くの時間と労力を要するので、パネル１１６の取付作業・交換作業の効率が悪いという問題がある。
【００１４】
また前記第２の従来技術では、支柱に固定されるパネル支持枠は、単一部材によって構成されるため、損傷または汚損などのためにパネルを交換する必要が生じたときには、パネル支持枠は支柱に固定されたままの状態で、カバー部を手摺部本体から取外し、損傷または汚損したパネルをパネル支持枠に沿って上方へ移動させて抜き取った後、新たなパネルをパネル支持枠間に上方から差込んで、パネルの下端部が下枠に支持されるまで挿入し、取外したカバー部を手摺部本体に装着する、という作業を行う必要がある。
【００１５】
このようなパネル交換は、ベランダなどの屋内側から１〜２名の作業者が手作業で行う場合が多く、損傷または汚損したパネルの撤去作業および新たなパネルの装着作業は、いずれも手摺部本体を越える高さ位置までパネルを人力によって持上げなければならず、多くの労力を要する。
【００１６】
特に、高層建物の改修工事などによって全てのパネルを交換する場合には、多大な労力と時間とを要し、パネル交換作業の効率が悪いという問題がある。
【００１７】
また、前記第２の従来技術では、前記カバー部および手摺部本体によって手摺部が構成される。これらのカバー部および手摺部本体は、たとえばアルミニウム合金などの押出し形材によって形成され、複数のパネルおよび支柱にわたって延びる長尺材によって実現される。そのため、パネルを交換するに際して、長尺のカバー部を手摺部本体から取外した後、その取外したカバー部を、再び手摺部本体に取付けなければならず、手間を要する。
【００１８】
本発明の目的は、パネルの取付け作業および取外し作業を容易に行うことができる柵構造体を提供することである。
【課題を解決するための手段】
【００１９】
本発明は、建物の屋外に臨む床構造部に、水平方向に間隔をあけて平行かつ鉛直に立設される複数の支柱と、
隣接する各支柱間にわたって配置される矩形板状のパネルと、
鉛直に立設され、各支柱に固定される固定竪枠部材であって、その軸線に垂直な断面が略逆Ｕ字状の軸受け部が形成された前壁を有する固定竪枠部材と、
固定竪枠部材に、固定竪枠部材の軸線に平行な軸線まわりに角変位自在に設けられる可
動竪枠部材であって、
断面略円柱状に形成され、前記軸受け部に嵌合し、固定竪枠部材の軸線に平行な軸線まわりに角変位可能に設けられる軸部と、
前記軸部に連なる板状部と、
前記板状部に連なり、各パネルの互いに近接する各一側部を、固定竪枠部材における前記前壁との間で挟持する保持部とを有し、
前記保持部には、各パネルの互いに近接する各一側部と当接する当接部材が設けられる可動竪枠部材と、を含むことを特徴とする柵構造体である。
【００２０】
また本発明は、柵構造体は、
水平方向に支柱に固定され、各パネルの上端縁を支持する上枠部材と、
水平方向に支柱に固定され、各パネルの下端縁を支持する下枠部材とをさらに含むことを特徴とする。
【発明の効果】
【００２１】
本発明によれば、可動竪枠部材は、固定竪枠部材の軸線に平行な軸線まわりに角変位自在に設けられる。可動竪枠部材は、各パネルの互いに隣接して配置される各一側部を、固定竪枠部材に近接する方向に押圧して、各パネルの両側部を支柱に固定する。
【００２２】
このような構成を採用することによって、可動竪枠部材を固定竪枠部材の軸線に平行な軸線まわりに角変位することができるので、可動竪枠部材を角変位させることにより、可動竪枠部材によるパネルの固定竪枠部材に近接する方向への押圧状態を解除することができる。
【００２３】
これによって、可動竪枠部材によるパネルの固定竪枠部材に近接する方向への押圧を容易に解除することができる。したがって、可動竪枠部材を角変位させることにより、パネルの固定を解除することができるので、パネルを容易に取付けおよび取り外すことができる。これによって、パネルの取付け作業および交換作業を容易に行うことができる柵構造体を実現することができる。
【００２４】
また本発明によれば、柵構造体は、上枠部材と下枠部材とをさらに含んで構成されるので、各パネルは、上端縁、下端縁および各側部が、上枠部材と下枠部材と可動竪枠部材とに支持されて取付けられる。
【００２５】
これによって、パネルの４つの辺を支持することができるので、上端縁および下端縁を支持する構成の柵構造体に取付けられるパネルと比較して、パネルの剛性を低く抑えることができる。したがって、パネルの製造コストを低減することができる。
【図面の簡単な説明】
【００２６】
【図１】本発明の一実施形態に係る柵構造体１０の全体構成を示す水平断面図である。
【図２】柵構造体１０の延在方向両端部間の各中間部に設置される支柱１１を拡大した水平断面図である。
【図３】図２の切断面線ＩＩＩ−ＩＩＩにおける鉛直断面図である。
【図４】柵構造体１０の端部に配置される支柱１１を拡大した水平断面図である。
【図５】柵構造体１０にパネル１２を取付ける際の作業手順を説明するための図である。
【図６】柵構造体１０にパネル１２を取付ける際の作業手順を説明するためのフローチャートである。
【図７】第１の従来技術の柵構造体１００を示す鉛直断面図である。
【図８】図７に示す柵構造体１００の水平断面図である。
【図９】第１の従来技術の柵構造体１００におけるパネル１１６取付時の作業手順を示す図である。
【発明を実施するための形態】
【００２７】
図１は、本発明の一実施形態に係る柵構造体１０の全体構成を示す水平断面図である。
本実施形態の柵構造体１０は、建物１の屋外に臨む通路を構成する床構造部２の外方側端部に形成されるパラペット３に設けられる手摺柵４を構築するために実施される。
【００２８】
本実施形態において手摺柵４は、平面視でＬ字状に屈曲した形態であって、一方側端部と、コーナ部と、図示しない他方側端部と、一方側端部とコーナ部との間の第１中間部と、コーナ部と他方側端部との間の第２中間部と、から成る。ただし、手摺柵４はこの形状に限られるものではなく、たとえば平面視で一直線状に延びる形状であってもよい。
【００２９】
図２は、柵構造体１０の延在方向両端部間の各中間部に設置される支柱１１を拡大した水平断面図であり、図３は、図２の切断面線ＩＩＩ−ＩＩＩにおける鉛直断面図である。
【００３０】
柵構造体１０は、建物１の躯体に、水平方向に間隔をあけて平行かつ鉛直に立設される複数の支柱１１と、水平方向に隣接する各支柱１１間に配置される矩形板状のパネル１２と、鉛直に立設され、各支柱１１に固定される固定竪枠部材１３と、固定竪枠部材１３に、固定竪枠部材１３の軸線に平行な軸線まわりに角変位自在に設けられる可動竪枠部材１４と、各支柱１１の上端部に取付けられる笠木１７と、笠木１７に固定され、パネル１２の上端縁部を挟持する上枠部材１５と、各支柱１１の下端部に固定され、パネル１２の下端縁部を挟持する下枠部材１６と、を含んで構成される。
【００３１】
支柱１１は、建物１の屋外に臨む通路を構成する床構造部２の外方側端部に形成されるパラペット３に、図示しない支柱固定手段によって固定され、鉛直方向に向かって立設して設けられる。支柱１１は、水平方向に等間隔をあけて複数設けられる。
【００３２】
支柱１１は、略矩形筒状に形成される長尺材であり、本実施形態では、アルミニウム合金の押出し成形材によって実現される。支柱１１は、内周面から内方に突出する当接部２０と、内周部から内方に突出して形成される４つの蟻溝２１と、外周面部に形成される嵌合溝部２２とを含んで構成される。支柱１１は、パラペット３に一部が埋設される嵌合筒部材５の外側面に、当接部２０が当接した状態で、嵌合筒部材５に嵌合して設けられ、図示しない固定部材を介してパラペット３に固定される。
【００３３】
支柱１１の外方に臨む外側面部には、支柱１１と平行に伸びる固定竪枠部材１３が取付けられる。固定竪枠部材１３は、略正方形筒状の本体部２５と、本体部２５に連なって形成されるフランジ部２６とを有する。固定竪枠部材１３は、長尺材であり、本実施形態では、アルミニウム合金の押出形材によって実現される。
【００３４】
本体部２５は、２つの側壁２５ａ，２５ｂと、各側壁２５ａ，２５ｂの幅方向一端部に連なり、各側壁２５ａ，２５ｂと垂直に交差する前壁２５ｃと、各側壁２５ａ，２５ｂの幅方向他端部に連なり、各側壁２５ａ，２５ｂと垂直に交差する後壁２５ｄとを有する。
【００３５】
前壁２５ｃには、内方に退避し、長手方向に垂直な断面が略逆Ｕ状の軸受け部２７が形成される。フランジ部２６は、後壁２５ｄの幅方向の各端部に連なり、前記各端部から幅方向に突出して形成され、その先端部は、厚み方向一方である前壁２５ｃ側へ屈曲して形成される。
【００３６】
パネル１２は、矩形板状に形成される。本実施形態では、パネル１２は、矩形板状の合せガラスによって実現される。また、パネル１２は、前記合わせガラスに代えて、単層の板ガラスであってもよく、アルミニウム合金製、合成樹脂製、さらにはアルミニウム合金と合成樹脂との複合板によって形成されてもよく、パネル１２に要求される強度、形状、重量、意匠性、質感などを考慮して、適宜選択することができる。
【００３７】
固定竪枠部材１３は、支柱１１と平行に設けられ、フランジ部２６と支柱１１の外方側外周面部とが、ねじなどの固定手段によって固定される。
【００３８】
可動竪枠部材１４は、断面略Ｔ字状の長尺材である。本実施形態では、可動竪枠部材１４は、アルミニウム合金の押出形材によって実現される。可動竪枠部材１４は、前記軸受け部２７に角変位自在に嵌合する軸部３０と、軸部３０に連なる板状部３１と、板状部３１に連なる保持部３２とを有する。可動竪枠部材１４は、固定竪枠部材１３に、固定竪枠部材１３の軸線に平行な軸線周りに角変位自在に設けられる。
【００３９】
軸部３０は、断面略円柱状に形成され、前記軸受け部２７に嵌合し、固定竪枠部材１３に、固定竪枠部材１３の軸線に平行な軸線まわりに角変位可能に設けられる。板状部３１は、一端部が軸部３０に連なり、他端部が保持部３２に連なり、軸部３０と保持部３２とを連結する。保持部３２は、断面略Ｅ字状に形成され、中間部において板状部３１と連結される。保持部３２には、２つの凹溝３３ａ，３３ｂが形成される。各凹溝３３ａ，３３ｂには、各パネル１２の互いに隣接して配置される各一側部と当接する当接部材８０ａ，８０ｂがそれぞれ設けられる。
【００４０】
各支柱１１の上端部には、各支柱１１間にわたって設けられる笠木１７が取付けられる。笠木１７は、断面略Ｕ字状の本体部３５と、本体部３５の内部に形成され、支柱１１の上端面を覆う支柱覆い部３６と、本体部３５の内部に形成され、上枠部材１５が取付けられる上枠取付部３７とを有する。
【００４１】
支柱覆い部３６は、本体部３５の内部空間に形成される。支柱覆い部３６は、本体部３５の一方側部から内方に向かって突出する板状部３６ａと、板状部３６ａに屈曲して連なり、本体部３５に連結される隔壁部３６ｂとを有する。板状部３６ａには、図示しないねじ孔が長手方向に間隔をあけて複数形成される。
【００４２】
支柱１１の上端面部には、板状の取付部材７０が取付けられる。取付部材７０は、ねじなどの固定手段によって支柱１１の上端面部に形成される開口を塞ぐように固定される。笠木１７は、支柱覆い部３６の板状部３６ａが取付部材７０に、ねじ止めされて固定され、支柱１１の上端面部に固定される。
【００４３】
上枠取付部３７は、断面が略凹状に形成される。上枠取付部３７の内周面部には、内方に向かって突出するフランジ部３８が形成される。
【００４４】
上枠部材１５は、断面略Ｕ字状に形成される長尺材である。本実施形態では、上枠部材１５は、アルミニウム合金の押出形材によって実現される。上枠部材１５は、略Ｕ字状の本体部４０と、長手方向に垂直な幅方向一方側に本体部４０に連なって形成される第１取付部４１と、前記幅方向他方側に本体部４０に連なって形成される第２取付部４２とを有する。第１取付部４１には、内方に臨んで開口する溝部４３が形成される。溝部４３には、水平方向に延びる当接部材８１が嵌め込まれて設けられる。
【００４５】
第１取付部４１は、笠木１７のフランジ部３８にねじ止めされて固定される。第２取付部４２は、笠木１７の板状部３６ａにねじ止めされて固定される。このようにして、上枠部材１５は、開口が下方に臨んだ状態で、上枠取付部３７の内部空間に取付けられる。
【００４６】
支柱１１の下端部近傍には、下枠部材１６が取付けられる。下枠部材１６は、支柱１１の長手方向に垂直な幅方向に沿って、言い換えれば水平方向と平行に、支柱１１と垂直に交差するように設けられる。下枠部材１６は、断面略Ｕ字状に形成される長尺材である。本実施形態では、下枠部材１６は、アルミニウム合金の押出形材によって実現される。下枠部材１６は、パネル１２が挿入される開口部４５と、当接部材８２が嵌り込む溝部４６と、後述する一対の固定部材７１にそれぞれ係合する係合片４７とを含んで構成される。
【００４７】
溝部４６は、下枠部材１６の幅方向一方側に形成され、その開口が開口部４５に臨んで形成される。溝部４６には、水平方向に延びる当接部材８２が嵌まり込んで設けられる。係合片４７は、前記幅方向他方側に形成される断面が略Ｌ字状の屈曲片である。係合片４７は、下枠部材１６の長手方向に延びて一様に形成される。下枠部材１６の内部には、内方に向かって突出し、互いに対向する蟻溝４８が形成される。下枠部材１６の内部には、パネル１２の下端部が当接する台座部材７２が設けられる。
【００４８】
固定部材７１は、下枠部材１６を、支柱１１に固定する部材である。固定部材７１は、大略Ｌ字形状に形成され、複数のねじ孔が形成される板状部７１ａと、板状部７１ａの一端部に屈曲して連なる係合片部７１ｂと、板状部７１ａに形成され、前記係合片４７が嵌り込む嵌合溝部７１ｃとを有する。固定部材７１は、係合片部７１ｂを支柱１１の嵌合溝部２２に嵌り込ませた状態で、下枠部材１６の側壁にねじ止めされ、下枠部材１６に連結される。また固定部材７１は、図示しない、ねじによって、支柱１１にねじ止めされて固定される。
【００４９】
このとき、固定竪枠部材１３は、各固定部材７１間に配置される。また下枠部材１６の係合片４７は、嵌合溝部７１ｃに嵌り込み、固定される。このようにして、下枠部材１６は、各支柱１１間にわたって水平方向に平行に、各支柱１１に取付けられる。
【００５０】
パネル１２は、上端縁が上枠部材１５の開口に挿入され、下端縁が下枠部材１６の開口に挿入されて取付けられる。当接部材８０ａ，８０ｂは、互いに近接するパネル１２の各側縁の外方側表面部にそれぞれ当接する。当接部材８１は、パネル１２の上端縁の外方側表面部に当接する。当接部材８２は、パネル１２の下端縁の外方側表面部に当接する。
【００５１】
可動竪枠部材１４の板状部３１を挟んで、一対のバックアップ材９０ａ，９０ｂが、鉛直方向に延びて設けられる。またパネル１２の上端縁の内方側表面部と固定竪枠部材１３との間には、水平方向に延びるバックアップ材９１が設けられ、パネル１２の下端縁の内方側表面部と固定竪枠部材１３との間には、水平方向に延びるバックアップ材９２が設けられる。各バックアップ材９０ｂ，９１，９２によって、四角枠状のバックアップが形成される。このバックアップの内周部には、全周にわたってシール材９３が打設される。このようにして、可動竪枠部材１４は、各パネル１２の互いに近接する各一側部を、固定竪枠部材１３に近接する方向に押圧して、各パネル１２の前記各一側部を挟持する。
【００５２】
図４は、柵構造体１０の一方側端部に配置される支柱１１を拡大した水平断面図である。本実施形態において、柵構造体１０の各端部に配置される支柱１１には、固定竪枠部材１３および可動竪枠部材１４は設けられない。各端部の支柱１１には、端部用固定部材７５が取付けられる。
【００５３】
端部用固定部材７５は、断面略Ｕ字状の本体部７５ａと、本体部７５ａに連なって形成されるフランジ部７５ｂ，７５ｃとを含んで構成される。本体部７５ａには、支柱１１の嵌合溝部２２に嵌合する嵌合片部７５ｄが形成される。端部用固定部材７５は、嵌合片部７５ｄを支柱１１の嵌合溝部２２に嵌合させて支柱１１に取付けられる。
【００５４】
フランジ部７５ｂ，７５ｃは、本体部７５ａの外方側外周面部に連なって形成され、板状部分と、嵌合溝部分とを有する。この板状部分は、前述した固定部材７１の板状部７１ａと同様に形成され、嵌合溝部分は、前述した固定部材７１の嵌合溝部７１ｃと同様に形成される。下枠部材１６の係合片４７は、前記嵌合溝部分に嵌り込んで、端部用固定部材７５に係合する。
【００５５】
下枠部材１６の長手方向端部には、端部カバー体５０が取付けられる。また下枠部材１６の長手方向端部には、端部側当接部材８３を保持する保持部材７６が取付けられる。
【００５６】
端部カバー体５０は、下枠部材１６の端部側開口を塞ぐ端壁部５１と端壁部５１の一表面部から突出して形成される挿入片部５２と、端壁部５１の一表面部から突出する突出片部５３と、を含んで構成される。
【００５７】
端壁部５１は、板状に形成される。端壁部５１は、端壁部５１にねじの軸部を挿通し、該ねじを、下枠部材１６の蟻溝４８に螺合させることによって、下枠部材１６の端部にねじ止めされ、下枠部材１６の端部側開口を塞ぐ。
【００５８】
挿入片部５２は、端壁部５１に垂直に連なる板状部分５２ａと、板状部分５２ａの遊端部に連なるＣ字状部分５２ｂと、板状部分５２ａから垂直に、かつ端壁部５１と平行に突出する支持片部分５２ｃとを有する。挿入片部５２は、下枠部材１６の蟻溝４８と下枠部材１６の底部との間の空間に挿入される。
【００５９】
保持部材７６は、板状部分７６ａと、一端部が板状部分７６ａの一端部に連なる略Ｊ字状の屈曲部７６ｂと、屈曲部７６ｂの他端部に連なる保持部分７６ｃとを含んで構成される。装着状態において、板状部分７６ａの他端部は、Ｃ字状部分５２ｂに当接して指示される。保持部分７６ｃは、端部側当接部材８３が嵌り込む凹溝を有し、端部側当接部材８３を保持する。
【００６０】
端部側当接部材８３は、保持部材７６の保持部分７６ｃに保持されて、鉛直方向に平行に設けられる。このとき、端部カバー体５０の突出片部５３は、屈曲部７６ｂに、外方側から当接する。このようにして、下枠部材１６の端部側開口は、端部カバー体５０によって覆われる。
【００６１】
柵構造体１０の各端部には、鉛直方向に延びる端部側バックアップ材９４が設けられる。端部側バックアップ材９４の役割は、バックアップ材９０と同様であるので説明は省略する。
【００６２】
笠木１７の各端部には、端部カバー体６０が取付けられる。端部カバー体６０は、笠木１７の端部側開口を塞ぐ。端部カバー体６０は、笠木１７の端部側開口に嵌り込み、笠木１７に着脱可能に取付けられる。
【００６３】
図５は、柵構造体１０にパネル１２を取付ける際の作業手順を説明するための図である。図５（ａ）は、ステップＳ１における柵構造体１０の状態を示す模式図であり、図５（ｂ）は、ステップＳ２における柵構造体１０の状態を示す模式図であり、図５（ｃ）は、ステップＳ３における柵構造体１０の状態を示す模式図である。また図６は、柵構造体１０にパネル１２を取付ける際の作業手順を説明するためのフローチャートである。以下、柵構造体１０にパネル１２を取付ける際の作業手順について説明する。
【００６４】
下枠部材１６に、台座部材７２および当接部材８２が取付けられ、上枠部材１５に当接部材８１が取付けられ、可動竪枠部材１４に、当接部材８０ａ，８０ｂが取付けられた状態から、ステップＳ１が開始される。
【００６５】
＜ステップＳ１＞
先ず、図５（ａ）に示すように、可動竪枠部材１４を柵構造体１０の長手方向一方側に角変位させておき、外方側から上枠部材１５および下枠部材１６の開口内にパネル１２を挿入する。
【００６６】
＜ステップＳ２＞
次に、図５（ｂ）に示すように、ステップＳ１で挿入したパネル１２を、柵構造体１０の長手方向他方に移動させ、可動竪枠部材１４を柵構造体１０の長手方向他方側に角変位させる。そして、新たなパネル１２をステップＳ１と同様にして、外方側から上枠部材１５および下枠部材１６の開口内に挿入する。
【００６７】
＜ステップＳ３＞
次に、図５（ｃ）に示すように、可動竪枠部材１４を、柵構造体１０の幅方向に対して平行となるように角変位させ、ステップＳ１およびステップＳ２で挿入したパネル１２を、各当接部材８０ａ，８０ｂ，８１，８２に当接するまで外方側へ移動させる。
【００６８】
＜ステップＳ４＞
次に、パネル１２の内方側表面部と、固定竪枠部材１３との間に、バックアップ材９０ａ，９０ｂを取付け、パネル１２の上端縁の内方側表面部と、上枠部材１５との間にバックアップ材９１を取付け、パネル１２の下端縁の内方側表面部と、下枠部材１６との間にバックアップ材９２を取付け、矩形状にシール材９３を打設する。このようにして、パネル１２の取付け作業が完了する。また柵構造体１０のパネル１２が損傷した場合、ステップＳ１〜Ｓ４を逆の手順で行って、損傷したパネル１２を取り外し、交換することができる。
【００６９】
本実施形態によれば、可動竪枠部材１４は、固定竪枠部材１３の軸線に平行な軸線まわりに角変位自在に設けられる。可動竪枠部材１４は、各パネル１２の互いに隣接して配置される各一側部を、固定竪枠部材１３に近接する方向に押圧して、各パネル１２の両側部を支柱１１に固定する。
【００７０】
このような構成を採用することによって、可動竪枠部材１４を固定竪枠部材１３の軸線に平行な軸線まわりに角変位することができるので、可動竪枠部材１４を角変位させることにより、可動竪枠部材１４によるパネル１２の固定竪枠部材１３に近接する方向への押圧を解除することができる。
【００７１】
これによって、可動竪枠部材１４によるパネル１２の固定竪枠部材１３に近接する方向への押圧を容易に解除することができる。したがって、可動竪枠部材１４を角変位させることにより、パネル１２の固定を解除することができるので、パネル１２を容易に取付けおよび取り外すことができる。これによって、パネル１２の取付け作業および交換作業を容易に行うことができる柵構造体１０を実現することができる。
【００７２】
また本実施形態によれば、柵構造体１０は、上枠部材１５と下枠部材１６とを含んで構成されるので、各パネル１２は、上端縁、下端縁および各側部が、上枠部材１５と下枠部材１６と可動竪枠部材１４とに支持されて取付けられる。
【００７３】
これによって、パネル１２の４つの辺を支持することができるので、上端縁および下端縁を支持する構成の柵構造体に取付けられるパネルと比較して、パネル１２の剛性を低く抑えることができる。したがって、パネル１２の製造コストを低減することができる。
【符号の説明】
【００７４】
１  建物
２  床構造部
３  パラペット
４  手摺柵
１０  柵構造体
１１  支柱
１２  パネル
１３  固定竪枠部材
１４  可動竪枠部材
１５  上枠部材
１６  下枠部材
１７  笠木
２０  当接部
２１  蟻溝
２２  嵌合溝部
２５  本体部
２６  フランジ部
２７  軸受け部
３０  軸部
３１  板状部
３２  保持部
３５  本体部
３６  支柱覆い部
３７  上枠取付部
３８  フランジ部
４０  本体部
４１  第１取付部
４２  第２取付部
４３  溝部
４５  開口部
４７  係合片
７０  取付部材
７１  固定部材
７２  台座部材
８０ａ，８０ｂ  当接部材
８１  当接部材
８２  当接部材
９０ａ，９０ｂ  バックアップ材
９１  バックアップ材
９２  バックアップ材
【図１】
0005559666.tif 000002
【図２】
0005559666.tif 000003
【図３】
0005559666.tif 000004
【図４】
0005559666.tif 000005
【図５】
0005559666.tif 000006
【図６】
0005559666.tif 000007
【図７】
0005559666.tif 000008
【図８】
0005559666.tif 000009
【図９】
0005559666.tif 000010